(57)【要約】【課題】ケースとマイクロホンとの間にパッキングを介装するだけで、水噴流がかかる場合や、機器が水没した場合にもマイクロホンへの水の侵入を防止でき、また、マイクロホン前面空間に水が溜まることを防止できるマイクロホンの防水構造を提供する。【解決手段】ケース１に設けられた音通過孔１ａの周縁に圧接するように前記ケース１とマイクロホン２との間に介装されるパッキング４に前記音通過孔１ａを塞ぐ振動膜４ｃを一体に形成した。【選択図】        図１
2006041864.tif 000002
【特許請求の範囲】
【請求項１】
ケースに設けられた音通過孔の周縁に圧接するように前記ケースとマイクロホンとの間に介装されるパッキングに前記音通過孔を塞ぐ振動膜を一体に形成したことを特徴とする無線機器内部に配置されるマイクロホンの防水構造。
【請求項２】
前記パッキングに前記ケースに設けられた音通過孔の周縁に圧接されるループ状のリブを設けた請求項１のマイクロホンの防水構造。
【請求項３】
前記振動膜と前記マイクロホンとの間にフロントキャビティを形成するホルダを配置した請求項１または２のマイクロホンの防水構造。
【請求項４】
前記振動膜に共振周波数を調整する凸部を形成した請求項１から３のいずれかに記載したマイクロホンの防水構造。
【請求項５】
ケースに設けられた音通過孔の周縁に圧接するように前記ケースとマイクロホンとの間に介装されるパッキングに前記音通過孔を塞ぐ振動板をドーム形状のエッジを介して一体に形成したことを特徴とする無線機器内部に配置されるマイクロホンの防水構造。
【請求項６】
前記音通過孔にメッシュシートを配置した請求項１から５のいずれかに記載したマイクロホンの防水構造。
【発明の詳細な説明】
【技術分野】
【０００１】
この発明は無線機器に係わり、特に、そのマイクロホンの防水構造に関する。
【背景技術】
【０００２】
従来の携帯電話機等の無線機器内部に配置されるマイクロホンの防水構造の例を図３に示す。図３に示すフロントケース１には音通過孔１ａが設けられ音通過孔１ａの内部にコンデンサマイクロホン２（ＥＣＭ）が配置されている。フロントケース１とコンデンサマイクロホン２の間にはゴム製のパッキング７が介装されている。
【０００３】
パッキング７に設けられたループ状のリブ７ａ、７ｂは夫々フロントケース１の音通過孔１ａの周縁およびコンデンサマイクロホン２に圧接されており、無線機器内部に水が侵入することを防止する。
【０００４】
また、フロントケース１の音通過孔１ａを塞ぐようにメッシュシート３がフロントケース１に張り付けられ、コンデンサマイクロホン２の音通過孔１ａと対向する面には防水布８が張り付けられていた。
【０００５】
音通過孔１ａの正面から図示の矢印で示す方向に水圧がかかる場合には、メッシュシート３で水勢をある程度和らげ、さらに、防水布８でコンデンサマイクロホン２内に水が入るのを防止する。
【０００６】
上記した従来のマイクロホンの防水構造によると、多少の水が外側からかかる程度であればよいが、多量の水噴流がかかる場合や、機器が水没した場合には急激な水圧変化に防水布が耐えられずマイクロホンが破損する恐れがあった。
【０００７】
また、水没した状態から機器を取り出した場合に、メッシュシート３と防水布８との間のマイクロホン前面空間に水の表面張力により水が溜まり音圧が著しく低下する傾向があった。
【０００８】
特開２００２−１６３７４号公報に示された携帯電話機の音響部品の防水構造ではケース本体１の音響部品６前面に設けられた放音孔２を塞ぐように防水膜３が張り付けられている。
【０００９】
上記した特開２００２−１６３７４号公報に示された防水構造では放音孔２から音響部品６の側に水が侵入することが防水膜３により防ぐことができるが、防水膜３をケース本体１に張り付ける工程が必要であり、製造コストが高くなるという問題があった。
【特許文献１】特開平２０００−１６３７４号公報、段落００１２、図２
【発明の開示】
【発明が解決しようとする課題】
【００１０】
この発明は上記した点に鑑みてなされたものであって、その目的とするところは、ケースとマイクロホンとの間にパッキングを介装するだけで、水噴流がかかる場合や、機器が水没した場合にもマイクロホンへの水の侵入を防止でき、また、マイクロホン前面空間に水が溜まることを防止できるマイクロホンの防水構造を提供することにある。
【課題を解決するための手段】
【００１１】
この発明の無線機器内部に配置されるマイクロホンの防水構造は、ケースに設けられた音通過孔の周縁に圧接するように前記ケースとマイクロホンとの間に介装されるパッキングに前記音通過孔を塞ぐ振動膜を一体に形成したものである。
【００１２】
また、前記マイクロホンの防水構造において、前記パッキングに前記ケースに設けられた音通過孔の周縁に圧接されるループ状のリブを設けたものである。
【００１３】
また、前記各マイクロホンの防水構造において、前記振動膜と前記マイクロホンとの間にフロントキャビティを形成するホルダを配置したものである。
【００１４】
また、前記各マイクロホンの防水構造において、前記振動膜に共振周波数を調整する凸部を形成したものである。
【００１５】
さらに、この発明の無線機器内部に配置されるマイクロホンの防水構造は、ケースに設けられた音通過孔の周縁に圧接するように前記ケースとマイクロホンとの間に介装されるパッキングに前記音通過孔を塞ぐ振動板をドーム形状のエッジを介して一体に形成したものである。
【００１６】
また、前記各マイクロホンの防水構造において、前記音通過孔にメッシュシートを配置したものである。
【発明の効果】
【００１７】
この発明のマイクロホンの防水構造によれば、マイクロホンへの水の侵入が完全に防止できる。従って、防水性能を高めたマイクロホンを用いることなく、通常のマイクロホンを使用できる。
【００１８】
また、マイクロホン前面の防水布を配置する必要がなく、製造コストが安くなる。さらに、多量の水噴流や水没による水圧がかかってもマイクロホン前面空間に水が溜まることがなく、音圧の低下が防止される。
【発明を実施するための最良の形態】
【００１９】
以下この発明を実施するための最良の形態を実施例に即して説明する。
【実施例１】
【００２０】
図１はこの発明の実施例１である無線機器のマイクロホンの防水構造を示す断面図である。図１に示すフロントケース１には音通過孔１ａが設けられ音通過孔１ａの内部にコンデンサマイクロホン２（ＥＣＭ）が配置されている。フロントケース１とコンデンサマイクロホン２の間にはゴム製のパッキング４が介装されている。
【００２１】
パッキング４に設けられたループ状のリブ４ａ、４ｂは夫々フロントケース１の音通過孔１ａの周縁およびコンデンサマイクロホン２に圧接されており、無線機器内部に水が侵入することを防止する。
【００２２】
また、フロントケース１の音通過孔１ａを塞ぐようにメッシュシート３がフロントケース１に張り付けられている。パッキング４の先端部には音通過孔１ａと対向する位置に振動膜４ｃが形成されてパッキング４の先端部が塞がれている。
【００２３】
振動膜４ｃの中央部には凸部４ｄが設けられている。コンデンサマイクロホン２の前面と振動膜４ｃとの間の空間にはホルダ５が配置されている。ホルダ５の前面にはテーパ形状の音を導く面が形成されている。
【００２４】
上記構成において、音通過孔１ａの正面から図示の矢印で示す方向に水圧がかかる場合には、メッシュシート３で水勢をある程度和らげ、さらに、パッキング４の振動膜４ｃにより水の侵入経路が塞がれ水の侵入が完全に防止される。
【００２５】
パッキング４の振動膜４ｃが水の侵入経路を塞ぐことは音の侵入経路（音道）も塞ぐことになり音圧が低下してしまう。そこで、音圧が大きく低下することのないように振動膜４ｃの膜厚を薄くして広い面積とし、振動膜４ｃを振動させ、さらに、ホルダ５のテーパ形状部で音を集音してコンデンサマイクロホン２に伝えるようにしてコンデンサマイクロホン２に伝えられる音の音圧低下を防いでいる。
【００２６】
なお、ホルダ５はフロントキャビティ５ａを形成しており、コンデンサマイクロホン２が受ける音の周波数特性を調整する機能を有する。このようにパッキング４の振動膜４ｃにより水の侵入が完全に防止できるため従来用いられていた防水布が不要となり、製造コストが安くなる。
【００２７】
振動膜４ｃに設けられた凸部４ｄの質量を調整することにより振動膜４ｃの共振周波数を調整でき、コンデンサマイクロホン２が受ける音の周波数特性を調整することが可能となる。なお、凸部４ｄは振動膜４ｃの裏面側（コンデンサマイクロホン２側）に形成してもよい。
【実施例２】
【００２８】
図２はこの発明の実施例２である無線機器のマイクロホンの防水構造を示す断面図である。図２に示すフロントケース１には音通過孔１ａが設けられ音通過孔１ａの内部にコンデンサマイクロホン２（ＥＣＭ）が配置されている。フロントケース１とコンデンサマイクロホン２の間にはゴム製のパッキング６が介装されている。
【００２９】
パッキング６に設けられたループ状のリブ６ａ、６ｂは夫々フロントケース１の音通過孔１ａの周縁およびコンデンサマイクロホン２に圧接されており、無線機器内部に水が侵入することを防止する。
【００３０】
また、フロントケース１の音通過孔１ａを塞ぐようにメッシュシート３がフロントケース１に張り付けられている。パッキング６の先端部には音通過孔１ａと対向する位置に振動板６ｃがドーム形状のエッジ６ｄを介して一体に形成されパッキング６の先端部が塞がれている。
【００３１】
上記構成において、音通過孔１ａの正面から図示の矢印で示す方向に水圧がかかる場合には、メッシュシート３で水勢をある程度和らげ、さらに、パッキング６の振動板６ｃにより水の侵入経路が塞がれて水の侵入が完全に防止される。
【００３２】
パッキング６の振動板６ｃが水の侵入経路を塞ぐことは音の侵入経路（音道）も塞ぐことになり音圧が低下してしまう。そこで、音圧が大きく低下することのないように振動板６ｃを広い面積として、さらに、振動板６ｃを支えるエッジ６ｄのコンプライアンスを大きくして振動板６ｃを十分に振動させコンデンサマイクロホン２に伝えられる音の音圧低下を防いでいる。
【００３３】
なお、実施例１と同様にコンデンサマイクロホン２前面の空間にフロントキャビティを形成するホルダを配置してもよい。パッキング６の振動板６ｃにより水の侵入が完全に防止できるため従来用いられていた防水布が不要となり、製造コストが安くなる。
【００３４】
振動板６ｃの厚みおよびエッジ６ｄのコンプライアンスを調整することにより振動板６ｃの共振周波数を調整でき、コンデンサマイクロホン２が受ける音の周波数特性を調整することが可能となる。なお、エッジ６ｄの形状は図示のようなドーム形状でもよいが。波形でもよい。すなわち適度のフレキシブル性が確保されればその形状は限定されない。
【００３５】
この実施例２では実施例１の振動膜より厚い振動板が用いられているために強い水圧等により振動板が破れる恐れが少なくなる。
【００３６】
実施例は以上のように構成されているが発明はこれに限られず、例えば、パッキングをゴムで形成する代わりに、合成ゴム等のゴム弾性を有する材料で作ることも可能である。
【図面の簡単な説明】
【００３７】
【図１】この発明の実施例１である無線機器のマイクロホンの防水構造を示す断面図である。
【図２】この発明の実施例２である無線機器のマイクロホンの防水構造を示す断面図である。
【図３】従来の無線機器のマイクロホンの防水構造の例を示す断面図である。
【符号の説明】
【００３８】
１  フロントケース、１ａ  音通過孔
２  コンデンサマイクロホン
３  メッシュシート
４  パッキング、４ａ、４ｂ  リブ、４ｃ  振動膜、４ｄ  凸部
５  ホルダ、５ａ  フロントキャビティ
６  パッキング、６ａ、６ｂ  リブ、６ｃ  振動板、６ｄ  エッジ
７  パッキング、７ａ、７ｂ  リブ
８  防水布
【図１】
2006041864.tif 000003
【図２】
2006041864.tif 000004
【図３】
2006041864.tif 000005